(57)【要約】【課題】アレイ表示用スイッチを提供する。【解決手段】本発明のアレイ表示用スイッチはアレイ方式で配列されて設置されると共に相違する画面の表示効果を表示させる複数の表示用スイッチを備え、前記複数の表示用スイッチの内の何れか１つ或いは１つ以上が押圧、タッチ、または感知されることにより前記画面の表示効果がインタラクティブに改変され、同時に前記アレイ表示用スイッチの内の何れか１つ或いは１つ以上によりスイッチのオン／オフ動作が実行される。さらには、これら前記表示用スイッチにより組み合わせられて統合されたフルスクリーンの画面が表示される。【選択図】図１
2019194954.tif 000002
【特許請求の範囲】
【請求項１】
複数の表示用スイッチを備えるレイ表示用スイッチであって、
前記表示用スイッチはアレイ方式で配列されて設置されると共に相違する画面の表示効果を表示させ、
前記複数の表示用スイッチの内の何れか１つ或いは１つ以上が押圧、タッチ、または感知されることにより前記画面の表示効果がインタラクティブに改変され、同時に前記アレイ表示用スイッチの内の何れか１つ或いは１つ以上によりスイッチのオン／オフ動作が実行されることを特徴とする、
アレイ表示用スイッチ。
【請求項２】
これら前記表示用スイッチはベースに設置され、且つベースの何れか一側には外部の制御装置に接続させるための少なくとも１つの接続ポートまたはワイヤレス伝送設備が設置されることを特徴とする請求項１に記載のアレイ表示用スイッチ。
【請求項３】
前記画面の表示効果は映像または画像データであり、レコード装置により予め前記データが前記アレイ表示用スイッチ中に記録され、或いは制御装置によりこれら前記表示用スイッチが表示させる画面及びこれら前記表示用スイッチのオン／オフ動作が制御されることを特徴とする請求項１に記載のアレイ表示用スイッチ。
【請求項４】
表示用スイッチは台座、表示用スクリーン、及び透明カバーで構成されることを特徴とする請求項１に記載のアレイ表示用スイッチ。
【請求項５】
各表示用スイッチにより単一の画面が単独で表示されることを特徴とする請求項１に記載のアレイ表示用スイッチ。
【請求項６】
複数の表示用スイッチにより組み合わせられたフルスクリーンの画面が同時に表示されることを特徴とする請求項１に記載のアレイ表示用スイッチ。
【請求項７】
各表示用スイッチにより単一の画面が単独で表示されるか組み合わせられたフルスクリーンの画面が同時に表示される以外、前記複数の表示用スイッチの内の何れか１つ或いは１つ以上が押圧、タッチ、或いは感知されることにより前記画面表示が変更され、且つ表示用スイッチのオン／オフ動作が１回または複数回実行されることを特徴とする請求項１に記載のアレイ表示用スイッチ。
【発明の詳細な説明】
【技術分野】
【０００１】
本発明は、アレイ表示用スイッチに関する。
【背景技術】
【０００２】
キーは主に使用者が様々な命令を伝送させて実行させるためのインターフェースとして機能し、命令及び機能の違いを区別させるために、それぞれのキーには異なる符号または数字が印刷され、使用者が目視で確認しながら正確なキーを押し、正確な命令を伝送できるようになっている。符号または数字以外にも、いくつかのキーでは異なる色のライトを表示させることによってキー毎の異なる命令及び機能を区別させている。
【発明の概要】
【発明が解決しようとする課題】
【０００３】
ところが、符号、数字、或いはライトは、キーの製造メーカーの出荷時の既定の設計で配列されているため、使用者が好みに合わせてキーの符号、数字、或いはライトの配列を変更させて配置可能な設計にはなっておらず、使用上の展延性が限られた。
【０００４】
そこで、本発明者は上記の欠点が改善可能と考え、鋭意検討を重ねた結果、合理的設計で上記の課題を効果的に改善する本発明の提案に到った。
【０００５】
本発明はこうした状況に鑑みてなされたものであり、その目的は、アレイ表示用スイッチを提供することにある。
【課題を解決するための手段】
【０００６】
上記課題を解決するために、本発明のある態様のアレイ表示用スイッチは、複数の表示用スイッチを備える。これら前記表示用スイッチはアレイ方式で配列されて設置されると共に相違する画面の表示効果を表示させ、前記複数の表示用スイッチの内の何れか１つ或いは１つ以上が押圧、タッチ、または感知されることにより前記画面の表示効果がインタラクティブに改変され、同時に前記アレイ表示用スイッチの内の何れか１つ或いは１つ以上によりスイッチのオン／オフ動作が実行される。これら前記表示用スイッチはベースに設置され、且つベースの何れか一側には少なくとも１つの接続ポートまたはワイヤレス伝送設備が設置され、外部の制御装置への接続に用いられる。前記画面の表示効果は映像または画像データであり、レコード装置により予め前記データが前記アレイ表示用スイッチ中に記録され、或いは制御装置によりこれら前記表示用スイッチが表示させる画面及びこれら前記表示用スイッチのオン／オフ動作が制御される。表示用スイッチは台座、表示用スクリーン、及び透明カバーで構成される。各表示用スイッチにより単一の画面が単独で表示される。複数の表示用スイッチにより組み合わせられたフルスクリーンの画面が同時に表示される。各表示用スイッチにより単一の画面が単独で表示されるか組み合わせられたフルスクリーンの画面が同時に表示される以外、前記複数の表示用スイッチの内の何れか１つ或いは１つ以上が押圧、タッチ、または感知されることにより前記画面表示が変更され、且つ１回または複数回の表示用スイッチのオン／オフ動作が実行される。 
【図面の簡単な説明】
【０００７】
【図１】本発明の一実施形態に係るアレイ表示用スイッチを示す外観斜視図である。
【図２】本発明のアレイ表示用スイッチを示す一部の概略図である。
【図３】本発明の好ましい実施形態に係るアレイ表示用スイッチを示す概略図（一）である。
【図４】本発明の好ましい実施形態に係るアレイ表示用スイッチを示す概略図（二）である。
【図５】本発明の好ましい実施形態に係るアレイ表示用スイッチを示す概略図（三）である。
【図６】本発明の好ましい実施形態に係るアレイ表示用スイッチを示す概略図（四）である。
【図７】本発明の好ましい実施形態に係るアレイ表示用スイッチを示す概略図（五）である。
【図８】本発明の好ましい実施形態に係るアレイ表示用スイッチを示す概略図（六）である。
【発明を実施するための形態】
【０００８】
以下に、本発明に係るアレイ表示用スイッチの実施の形態を図面に基づいて詳細に説明する。なお、各実施の形態によりこの発明が限定されるものではない。
【実施例１】
【０００９】
図１乃至図８は本発明の斜視外観図、一部概略図、及び好ましい実施形態に係る概略図であり、図面から分かるように、本発明は以下の部材を備える。
【００１０】
ベースは一側に外部の制御装置３に接続させるための少なくとも１つの接続ポート１０が更に設置される。
【００１１】
複数の表示用スイッチ２は等間隔の矩形アレイ方式でベース１に配列されて設置される。表示用スイッチ２は台座２１、表示用スクリーン２２、及び透明カバー２３で構成される。
【００１２】
また、本発明は主にベース１に複数の表示用スイッチ２が設置され、且つこれら前記表示用スイッチ２は等間隔の矩形アレイ方式でベース１に配列されて設置される。使用において、ベース１は一側の接続ポート１０により外付けの制御装置３に接続され（図３参照）、制御装置３により表示用スイッチ２が調整されて表示用スクリーン２２に異なる符号、数字、または画面が表示されるように制御される。
【００１３】
図４に示すように、主に外付けの制御装置３により各表示用スイッチ２が制御され、表示用スクリーン２２に異なる符号及び数字が表示され、使用者が命令及び機能を入力可能にする。符号及び数字が表示されるほか、符号及び数字とは異なる色の背景表示が更に設定され、符号及び数字が更に目立つようになり、使用者が暗い環境下でも目視で視認可能になる。
【００１４】
さらに、図５に示すように、主に外付けの制御装置３により各表示用スイッチ２が制御され、表示用スクリーン２２に異なる画面が表示され、例えば、監視画面や画像等が表示される。特に、監視画面が表示される場合、別々の表示用スイッチ２により異なるカメラで撮影されたリアルタイム画面が表示される。また、表示用スイッチ２はスイッチとして設計されるため、押圧方式で表示用スイッチ２が画面の表示／非表示を切り換えるように設定されてもよい。
【００１５】
上述したように、各表示用スイッチ２により異なる符号及び数字が単独で表示されるか、或いは単一の画面が表示されるほか、図６に示すように、同時に単一の表示用スイッチ２により単一の符号、数字、及び画面が表示されてもよい。
【００１６】
図７に示すように、表示用スイッチ２は等間隔の矩形アレイ方式でベース１に配列されて設置されるため、外付けの制御装置３により全ての表示用スイッチ２が組み合わせられたフルスクリーンの画面を表示させるように制御される。すなわち、これら前記表示用スイッチ２の組み合わせにより単一の画面が表示される。
【００１７】
図７によると、全ての表示用スイッチ２が組み合わせられて単一の画面として表示される以外、その内のいくつかの表示用スイッチ２が組み合わせられるように調整されて画面が表示されてもよい。すなわち、これら前記表示用スイッチ２が複数の領域に分割され、各領域は複数の表示用スイッチ２で構成され、複数の表示用スイッチ２の一部が１つの画面として組み合わせられる。
図８に示すように、左上隅の４つの表示用スイッチ２が組み合わせられて１つの画面が表示され、右上隅の４つの表示用スイッチ２が組み合わせられて１つの画面が表示され、他の付近の表示用スイッチ２には前記画面に関連する情報が同時に表示される。
【００１８】
本発明はベース１に等間隔の矩形アレイ方式で配列される複数の表示用スイッチ２が設置され、且つベース１の一側に設置される接続ポート１０を介して外付けの制御装置３に接続され、これら前記表示用スイッチ２が調整されて異なる効果の符号、数字、または画面が表示されるように制御され、こうして使用者の需要を満たす。これにより、本発明の応用可能な範囲が相当に広がり、例えば一般的な基本的な命令の出力制御、画面の監視、或いは画像の表示等に応用可能である。
【００１９】
なお、他の実施形態では、本発明のアレイ表示用スイッチは複数の表示用スイッチ２を有し、これら前記表示用スイッチ２はアレイ方式で配列されて設置されると共に相違する画面の表示効果が表示され、前記複数の表示用スイッチ２の内の何れか１つ或いは１つ以上が押圧、タッチ、または感知されることにより前記画面の表示効果がインタラクティブに改変され、同時に前記アレイ表示用スイッチの内の何れか１つ或いは１つ以上によりスイッチのオン／オフ動作が実行される。
これら前記表示用スイッチ２はベース２１に設置され、且つベース２１の何れか一側には少なくとも１つの接続ポート１０またはワイヤレス伝送設備が設置され（図示省略）、外部の制御装置３への接続に用いられる。前記画面の表示効果は映像或いは画像データであり、レコード装置（図示省略）により予め前記データが前記アレイ表示用スイッチ中に記録され、或いは制御装置３によりこれら前記表示用スイッチ２が表示させる画面及びこれら前記表示用スイッチ２のオン／オフ動作が制御される。
表示用スイッチ２は台座２１、表示用スクリーン２２、及び透明カバー２３で構成される。各表示用スイッチ２により単一の画面が単独で表示される。複数の表示用スイッチ２により組み合わせられたフルスクリーンの画面が同時に表示される。各表示用スイッチ２により単一の画面が単独で表示されるか組み合わせられたフルスクリーンの画面が同時に表示される以外、前記複数の表示用スイッチ２の内の何れか１つ或いは１つ以上が押圧、タッチ、または感知されることにより前記画面表示が変更され、且つ１回または複数回の表示用スイッチ２のオン／オフ動作が実行される。
【００２０】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２１】
１    ベース
１０  接続ポート
２    表示用スイッチ
２１  台座
２２  表示用スクリーン
２３  透明カバー
３    制御装置
【図１】
2019194954.tif 000003
【図２】
2019194954.tif 000004
【図３】
2019194954.tif 000005
【図４】
2019194954.tif 000006
【図５】
2019194954.tif 000007
【図６】
2019194954.tif 000008
【図７】
2019194954.tif 000009
【図８】
2019194954.tif 000010
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
複数の表示用スイッチを備えるアレイ表示用スイッチであって、
前記表示用スイッチはアレイ方式で配列されて設置されると共に相違する画面の表示効果を表示させ、
前記複数の表示用スイッチの内の何れか１つ或いは１つ以上が押圧、タッチ、または感知されることにより前記画面の表示効果がインタラクティブに改変され、同時に前記アレイ表示用スイッチの内の何れか１つ或いは１つ以上によりスイッチのオン／オフ動作が実行され、
前記画面の表示効果は映像であることを特徴とする、
アレイ表示用スイッチ。
【請求項２】
これら前記表示用スイッチはベースに設置され、且つベースの何れか一側には外部の制御装置に接続させるための少なくとも１つの接続ポートまたはワイヤレス伝送設備が設置されることを特徴とする請求項１に記載のアレイ表示用スイッチ。
【請求項３】
制御装置によりこれら前記表示用スイッチが表示させる画面及びこれら前記表示用スイッチのオン／オフ動作が制御されることを特徴とする請求項１に記載のアレイ表示用スイッチ。
【請求項４】
表示用スイッチは台座、表示用スクリーン、及び透明カバーで構成されることを特徴とする請求項１に記載のアレイ表示用スイッチ。
【請求項５】
各表示用スイッチにより単一の画面が単独で表示されることを特徴とする請求項１に記載のアレイ表示用スイッチ。
【請求項６】
複数の表示用スイッチにより組み合わせられたフルスクリーンの画面が同時に表示されることを特徴とする請求項１に記載のアレイ表示用スイッチ。
【請求項７】
各表示用スイッチにより単一の画面が単独で表示されるか組み合わせられたフルスクリーンの画面が同時に表示される以外、前記複数の表示用スイッチの内の何れか１つ或いは１つ以上が押圧、タッチ、或いは感知されることにより前記画面表示が変更され、且つ表示用スイッチのオン／オフ動作が１回または複数回実行されることを特徴とする請求項１に記載のアレイ表示用スイッチ。